(57)【要約】【課題】屋外において身の危険を感じた際に、そこへ逃げ込んで身を守ることのできる屋外避難装置及び防犯システムを提供する。【解決手段】屋外に設置する小屋と、当該小屋の外側を照らす防犯灯とからなり、前記小屋は、正面に内側からの操作で施錠可能な施錠機構を備えた扉を設け、屋根、側壁、及び扉を耐衝撃性部材で構成し、内部に非常通信手段を設け、前記防犯灯は、支柱と照明灯とからなり、撮影手段、放送手段、警報手段が併設されるとともに、通信ネットワークを介して前記小屋と接続する。【選択図】図１
2005240402.tif 000002
【特許請求の範囲】
【請求項１】
屋外に設置する小屋と、当該小屋の外側を照らす防犯灯とからなり、
前記小屋は、正面に内側からの操作で施錠可能な施錠機構を備えた扉を設け、屋根、側壁、及び扉を耐衝撃性部材で構成し、さらに内部に非常通信手段を設けたものであることを特徴とする屋外避難装置。
【請求項２】
前記防犯灯が、支柱と照明灯とからなり、撮影手段、放送手段、警報手段が併設されるとともに、通信ネットワークを介して前記小屋と接続されていることを特徴とする請求項１記載の屋外避難装置。
【請求項３】
前記警報手段は  小屋の扉の開放によって動作することを特徴とする請求項２記載の屋外避難装置。
【請求項４】
前記非常通信手段が、通報手段、通話手段、映像処理手段を備えることを特徴とする請求項１記載の屋外避難装置。
【請求項５】
前記耐衝撃性部材が、透明なポリカーボネート樹脂板から形成されていることを特徴とする請求項１記載の屋外避難装置。
【請求項６】
前記施錠機構は、扉の外側に設けられた外取っ手と内側に設けられた内取っ手とをスライド部を介して一体的に連結して取っ手を形成し、当該スライド部に切り欠きを設け、内取っ手を引出すことにより外取っ手が引込まれて、スライド部に設けられた切り欠きが露出する構成とし、
前記取っ手に対応する箇所に取付けられたロックつめを、内取っ手を引出して露出させた切り欠きに係合させて施錠することを特徴とする請求項１記載の屋外避難装置。
【請求項７】
屋外に設置する小屋と、当該小屋の外側を照らす防犯灯とからなり、
前記小屋は、正面に内側からの操作で施錠可能な施錠機構を備えた扉を設け、屋根、側壁、及び扉を耐衝撃性部材で構成し、
さらに内部に非常通信手段を設けた複数の屋外避難装置を、ネットワークを介して監視装置に接続し、この監視装置が扉開閉感知手段と報知手段とを備えていることを特徴とする防犯システム。
【請求項８】
前記監視装置は、前記防犯灯に設けられた撮影手段と前記非常通信手段に設けられた映像処理手段によって撮影された映像を映し出す監視モニタを備え、
当該モニタは撮影された複数の映像を一定時間ごとに順次切換えて映し出すとともに、
前記小屋に設けられた扉の開放に応じて対応する小屋を撮影した映像を継続して映し出すことを特徴とする請求項７記載の防犯システム。
【請求項９】
前記監視装置は、前記防犯灯に設けられた撮影手段と前記非常通信手段に設けられた映像処理手段によって撮影された映像を映し出す監視モニタを備え、
当該モニタは撮影された複数の映像を監視モニタの画面を適宜分割して映し出すとともに、
前記小屋に設けられた扉の開放に応じて対応する小屋を撮影した映像をモニタ全面に映し出すことを特徴とする請求項７記載の防犯システム。
【発明の詳細な説明】
【技術分野】
【０００１】
本発明は、路上や公園などの屋外で使用する屋外避難装置に関する。詳細には、不審者に追われたり、暴漢に襲われるなどの身の危険を感じた際に避難して身を守り、警察や警備会社等に通報するための屋外避難装置に関する。
【背景技術】
【０００２】
近年においては犯罪の増加、凶悪化が顕著である。特に路上や公園等において強盗、引ったくり、痴漢、誘拐、通り魔などの事件が多発しており、自衛手段として警報ブザーや催涙スプレー等を携行することが多くなっている。
【０００３】
しかし、警報ブザーや催涙スプレーなどのいわゆる防犯グッズは、不審者と対峙した際に、気が動転したり、取出して使用する時間的な余裕が無い場合には役に立たない。
【０００４】
そのような事件が多発する場所では監視カメラを設置することもあるが、監視カメラが設置されていたとしても、監視員が常時監視していることは少なく、事件の発覚後に録画されたテープを捜査資料として用いることが主目的となっており、犯罪の抑止力はあるものの、強盗やストーカーなどの暴漢による身体的被害を防ぐことは難しい。
防犯灯の支柱にテレビインターホンを備え、このテレビインターホンと防犯灯監視制御サーバなど接続した緊急通報システムが出願されている（特許文献１参照）。
しかし、通報しても助けが来る前に犯罪が終わってしまう可能性が高い。
【０００５】
強盗やストーカーなどの暴漢に襲われた際には、交番や近くの民家等に逃げ込んで助けを求めるのがよく、対策として交番の数を増やすことなどが考えられるが、空き交番の増加等の人的、経済的な理由から困難であるのが実情であった。
【０００６】
また、これまで、屋外において身の危険を感じた際に、そこへ逃げ込んで身を守ることのできる避難装置は存在しなかった。
【特許文献１】特開２００２−２８８７６４
【発明の開示】
【発明が解決しようとする課題】
【０００７】
本発明は上記のような事情を考慮してなされたもので、路上や公園などの屋外において、身の危険を感じた際に避難して身を守るための屋外避難装置を提供する。
【課題を解決するための手段】
【０００８】
上記課題を解決するために、請求項１記載のごとく、屋外に設置する小屋と、当該小屋の外側を照らす防犯灯とからなり、前記小屋は、正面に内側からの操作で施錠可能な施錠機構を備えた扉を設け、屋根、側壁、及び扉を耐衝撃性部材で構成し、さらに内部に非常通信手段を設けた屋外避難装置を提供する。
【０００９】
請求項２記載のごとく、前記防犯灯は支柱と照明灯とからなり、さらに警報機器は撮影手段、放送手段、警報手段により構成されている屋外避難装置を提供する。
【００１０】
請求項３記載のごとく、前記放送手段と前記警報手段は、小屋の扉の開放によって動作する屋外避難装置を提供する。
【００１１】
請求項４記載のごとく、前記非常通信手段は通報手段、通話手段、映像処理手段を備えた通信手段である屋外避難装置を提供する。
【００１２】
請求項５記載のごとく、前記耐衝撃性部材は透明なポリカーボネート樹脂板から形成されている屋外避難装置を提供する。
【００１３】
請求項６記載のごとく、前記施錠機構は、扉の外側に設けられた外取っ手と内側に設けられた内取っ手とをスライド部を介して一体的に連結して取っ手を形成し、当該スライド部に切り欠きを設け、内取っ手を引出すことにより外取っ手が引込まれて、スライド部に設けられた切り欠きが露出する構成とし、
前記取っ手に対応する箇所に取付けられたロックつめを、内取っ手を引出して露出させた切り欠きに係合させて施錠する屋外避難装置を提供する。
【００１４】
請求項７記載のごとく、屋外に設置する小屋と、当該小屋の外側を照らす防犯灯とからなり、前記小屋は、正面に内側からの操作で施錠可能な施錠機構を備えた扉を設け、屋根、側壁、及び扉を耐衝撃性部材で構成し、さらに内部に非常通信手段を設けた複数の屋外避難装置とネットワークを介して接続される監視装置が扉開閉感知手段と報知手段とを備えた防犯システムを提供する。
【００１５】
請求項８記載のごとく、前記監視装置は、前記防犯灯に設けられた撮影手段と前記非常通信手段に設けられた映像処理手段によって撮影された映像を映し出す監視モニタを備え、当該モニタは撮影された複数の映像を一定時間ごとに順次切換えて映し出すとともに、前記小屋に設けられた扉の開放に応じて対応する小屋を撮影した映像を継続して映し出す防犯システムを提供する。
【００１６】
請求項９記載のごとく、前記監視装置は、前記防犯灯に設けられた撮影手段と前記非常通信手段に設けられた映像処理手段によって撮影された映像を映し出す監視モニタを備え、  当該モニタは撮影された複数の映像を監視モニタの画面を適宜分割して映し出すとともに、  前記小屋に設けられた扉の開放に応じて対応する小屋を撮影した映像をモニタ全面に映し出す防犯システムを提供する。
【発明の効果】
【００１７】
請求項１記載のごとく、耐衝撃性部材で形成した小屋の内部に施錠機構と非常通信手段を設け、外部に防犯灯を設置したことで、夜間でも明るいためにその所在を認識することができ、身の危険を感じた際に避難して安全を確保し、警察や警備会社に非常を知らせることで、身体的な被害を防ぐことができる。
【００１８】
請求項２記載のごとく、警報機器が撮影手段を備えていることで、防犯装置を監視して、避難者や誤って入ってしまった子供に迅速に対応するとともに、加害者の識別を可能にすることができる。また、放送手段や警報手段により、近隣の住民に避難者の存在を知らせることができる。
【００１９】
請求項３記載のごとく、扉の開放に応じて放送手段や警報手段を動作させることで、避難者や誤って入ってしまった子供の存在を近隣の住民に迅速に知らせることができるとともに、いたずら目的の場合などにも迅速に対応することができる。
【００２０】
請求項４記載のごとく、非常通信手段が映像処理手段を備えていることで、警察や警備会社などの監視者が避難者の様子を知ることができ、また避難者が監視者の顔を見ることで落着くことができる。
【００２１】
請求項５記載のごとく、耐衝撃性部材を透明なポリカーボネート樹脂板により形成することで、強い耐衝撃性を有するとともに、避難者から加害者の様子を把握できる。また、子供が誤って入った場合などに認識することができて安全である。
【００２２】
請求項６記載のごとく施錠機構を構成することで、緊急時に、鍵を用いずに少ない手順で簡易に扉を施錠して、侵入者による扉の開閉を困難にすることができ、短時間で安全を確保して、侵入者から身を守ることができる。
【００２３】
請求項７記載のごとく、屋外避難装置と監視装置とをネットワークを介して接続し、当該監視装置が扉開閉感知手段と報知手段を備えていることで、監視装置によって扉の開閉を感知して、報知手段によって監視者に知らせることができるため、避難者や子供が誤って入った場合に監視者が即座に気付き、迅速に対応することができる。
【００２４】
請求項８記載のごとく、一定時間ごとに順次切換えて映し出されていた小屋の映像を、扉の開放された小屋は監視モニタに継続的に映し出すことによって、監視者が当該小屋の状況を迅速に判断でき、いたずら目的や子供が誤って入った場合や避難者がいる場合に応じて即座に対応することができる。
【００２５】
請求項９記載のごとく、監視モニタの画面を適宜分割して映し出されていた複数の小屋の映像を、扉の開放された小屋は監視モニタ全面に映し出すことによって、監視者が当該小屋の状況を迅速に判断でき、いたずら目的や子供が誤って入った場合や避難者がいる場合に応じて即座に対応することができる。
【発明を実施するための最良の形態】
【００２６】
以下、本発明の詳細について図面を参照して説明する。
図１は本発明の実施態様を示す斜視図である。避難ボックス１は側壁３と扉４と屋根５とにより略直方体に形成され、土台６に固定される。
【００２７】
側壁３と扉４と屋根５は耐衝撃性部材により構成されており、例えばアルミフレーム８に透明なポリカーボネート板９を嵌め込んで形成される。さらに扉４にはドアクローザ２１と施錠機構２２を設ける。
【００２８】
避難ボックス１の内部には非常通信手段１０を設け、外部には隣接して防犯灯２を設ける。防犯灯２は支柱１６と照明灯１７とからなり、さらに監視カメラ１８、スピーカ１９、警報灯２０を備える。
特に図示していないが、避難ボックス１の内部にも照明を設け、暗くなると自動に点灯させる。
【００２９】
図２は避難ボックス１の内部に設置された非常通信手段１０の正面図である。
非常通信手段１０は警報スイッチ１１とモニタ画面１２とスピーカ１３とマイク１４とカメラ１５とを備える。
避難者が大人である場合や子供である場合の身長差を考慮してカメラ１５を上下に２台設けている。
【００３０】
非常通信手段１０と防犯灯２とはネットワークを介して警備会社等の監視装置（図示せず）に接続される。監視装置は監視モニタ、ブザーやランプ等の報知手段、避難ボックス１の扉４の開閉を感知するセンサ等により構成される。
【００３１】
カメラ１５や監視カメラ１８で撮影された映像は、前記監視モニタに映し出されるが、避難ボックス１の扉４が開くと、それに応じて当該避難ボックス１の映像を写している監視モニタに対応するブザーが鳴ったり、ランプが点灯したりして監視者側に注意を促す。
【００３２】
監視モニタ１台につき一つの避難ボックス１の映像を映し出すようにしてもよいが、監視者側の監視モニタ１台に複数の避難ボックス１の映像を映し出すようにしたほうが効率的である。
【００３３】
例えば、複数の避難ボックス１の映像を、一定時間ごとに順次切換えて映し出すようにする（切換方式）か、監視モニタの画面を適宜分割して複数台のカメラ１５や監視カメラ１８の撮像を一度に映し出す（分割方式）ようにするとよい。
【００３４】
切換え方式の場合、避難ボックス１の扉４が開くと、その避難ボックス１を撮影しているカメラ１５または監視カメラ１８の映像が監視モニタに継続して映し出されるようにし、分割方式の場合は扉４が開いた際にカメラ１５または監視カメラ１８の映像をモニタ全面に映し出すようにする。
【００３５】
扉４が開いた場合に、非常通信手段１０に設けられたカメラ１５の映像は別の通信モニタ（図示せず）に映し出すようにしてもよい。このモニタは監視者を撮影するカメラ（図示せず）を備え、当該カメラで撮影した映像は非常通信手段１０のモニタ画面１２に映し出される。
【００３６】
避難ボックス１の扉４が開いて監視モニタの映像表示方式が切替わった場合には、監視者側でリセットしない限り当該避難ボックス１の映像がモニタ全面に、またはモニタに継続して映し出されるようにする。
【００３７】
また、避難ボックス１の扉４が開くと防犯灯２に設けた警報灯２０が点灯する、避難者がいることを早期に付近に知らせるとともに子供が誤って入った場合や、いたずら目的などで入った場合であっても早期に発見することができるため、安心である。
この警報灯２０は監視者側の操作によって消灯する。
【００３８】
また、防犯灯２に設けられたスピーカ１９は警備会社等の監視者の操作によって監視者側の音声が流れるようになっているが、通常は非常通信手段１０に設けられた警報スイッチ１１を操作することでアラーム音などの警報音を発する。また、警報スイッチ１１は避難ボックス１の扉４が開くことで警報音を発するように構成してもよい。
このアラーム音は監視者側の操作によって停止する。
【００３９】
図３は本発明の実施態様を示す全体正面図である。防犯灯２を避難ボックス１に隣接する位置に設置している。
防犯灯２には避難ボックス１の扉４付近を斜め上方から撮影することができる角度に監視カメラ１８を設置する。
また図４では防犯灯２を支柱１６を側壁３や屋根５を形成するアルミフレーム８に取付けるか、一体的に構成して避難ボックス１に設置している。
図３および図４ではスピーカ１９と警報灯２０の図示を省略している。
【００４０】
図４に示す構成ではほぼ真上から撮影することになるが、図３に示す構成では斜め上方からの撮影となるため、加害者の人相や身長などを識別しやすくなる。
【００４１】
図５は避難ボックス１の水平断面図である。
避難ボックス１は一人乃至数人を収容可能に形成する。この収容人数は避難ボックス１の設置場所の広さなどに応じて決めることができる。
【００４２】
また、非常通信手段１０は避難ボックス１の扉４の開閉端の対角線位置にある隅角部に取付けられている。非常通信手段１０に設けられたカメラ１５は入り口方向を向いており、扉４の開放とともに撮影を開始して、入ってきた避難者の映像を警備会社等の監視モニタに映し出す。
【００４３】
警備会社等の監視者側に避難者の存在を早期に知らせることで、避難者に対して迅速な対応を可能とする。また、子供が誤って入った場合や、いたずら目的などであっても早期に発見して注意を与えることができる。
【００４４】
非常通信手段１０に設けられたモニタ画面１２には監視者側の映像が映し出される。避難者はそれを見ながらスピーカ１３とマイク１４によって通話できるため安心感を得られ、状況を落着いて説明できる。
【００４５】
扉４にはドアクローザ２１と施錠機構２２が設けられている。図６に施錠機構の斜視図を示す。図７は施錠機構の水平断面図である。
施錠機構２２は、取っ手２３、ロックハンドル２７、ロックつめ２８等により構成されている。取っ手２３は扉４の外側に設けられた外取っ手２４と内側に設けられた内取っ手２５をスライド部２６を介して連結してなり、ホルダー２９によって扉４の端面に取付けられている。
扉４の取っ手２３に対応した位置に、逆Ｌ字状に形成したロックハンドル２７とロックつめ２８を両者の交点を軸に回動自在に取付ける。
【００４６】
図７に示すように、取っ手２３は通常、弾性体３０により付勢されて、実線で示した状態に位置しており、内部、外部どちらからでも扉４を開閉できる。内取っ手２５を引出すことにより外取っ手２４が引込まれ、点線図示の位置に取っ手２３を収納することが可能で、内取っ手２５を引出した際に、スライド部２６に設けられた切欠き３１が露出する構成となっている。
【００４７】
以上からなる施錠機構は、扉４を閉め、内取っ手２５を引出して外取っ手２４を収納し、次にロックハンドル２７を回動させて、ロックつめ２８を、内取っ手２５とともに引出されるスライド部２６に設けられた切欠き３１に係合させて取っ手２３を固定するとともに扉４を施錠する。
【００４８】
取っ手２３を固定すると同時に扉４を施錠できるので、少ない手順で安全を確保することができるし、外取っ手２４が扉４に密着しているため、外部から扉４を開閉し難くなる。
【図面の簡単な説明】
【００４９】
【図１】本発明の実施態様を示す斜視図。
【図２】通信手段の正面図。
【図３】本発明の実施態様を示す全体正面図。
【図４】本発明の第２実施例を示す全体正面図。
【図５】避難ボックスの断面図。
【図６】施錠機構の斜視図。
【図７】施錠機構の水平断面図
【符号の説明】
【００５０】
１    避難ボックス
２    防犯灯
３    側壁
４    扉
５    屋根
６    土台
８    アルミフレーム
９    ポリカーボネート板
１０  通信手段
１１  警報スイッチ
１２  モニタ画面
１３  スピーカ
１４  マイク
１５  カメラ
１６  支柱
１７  照明灯
１８  監視カメラ
１９  スピーカ
２０  警報灯
２１  ドアクローザ
２２  施錠機構
２３  取っ手
２４  外取っ手
２５  内取っ手
２６  スライド部
２７  ロックハンドル
２８  ロックつめ
２９  ホルダー
３０  弾性体
３１  切欠き
【図１】
2005240402.tif 000003
【図２】
2005240402.tif 000004
【図３】
2005240402.tif 000005
【図４】
2005240402.tif 000006
【図５】
2005240402.tif 000007
【図６】
2005240402.tif 000008
【図７】
2005240402.tif 000009